(57)【要約】【課題】  ポケットの縁が薄かったり、クリップの玉部の係合機構が複雑であったりしていると、クリップがポケットの縁を狭持しないまま、つまり、クリップが持ち上がらないままの状態でポケットに入れてしまうことがあった。そして、その結果、チップの先端がポケットに接触してしまい、ポケットをひどく汚してしまう危険性があった。【解決手段】  軸筒に筆記体ユニットを出没自在に配置した出没式筆記具であって、前記軸筒にクリップを取付けると共に、そのクリップによって前記筆記体ユニットの突出状態を解除し、没入状態へとする解除手段を前記クリップに設けた出没式筆記具において、前記クリップの先端近傍に突状の挟持部を設けると共に、その挟持部からクリップ後端部までの範囲に、前記筆記体ユニットの解除手段を配置した出没式筆記具。【選択図】        図１
2008006790.tif 000002
【特許請求の範囲】
【請求項１】
軸筒に筆記体ユニットを出没自在に配置した出没式筆記具であって、前記軸筒にクリップを取付けると共に、そのクリップによって前記筆記体ユニットの突出状態を解除し、没入状態へとする解除手段を前記クリップに設けた出没式筆記具において、前記クリップの先端近傍に突状の挟持部を設けると共に、その挟持部からクリップ後端部までの範囲に、前記筆記体ユニットの解除手段を配置したことを特徴とする出没式筆記具。
【請求項２】
前記解除手段を前記軸筒とクリップとの連結部の近傍に設けたことを特徴とする請求項１記載の出没式筆記具。
【請求項３】
前記解除手段を、クリップに設けた係合突起と、その係合突起に係合する前記筆記体ユニットに設けた係合受部とから構成すると共に、それら係合突起と係合受部とによる係合部を前記軸筒内に設けたことを特徴とする請求項１、或いは、請求項２に記載の出没式筆記具。
【発明の詳細な説明】
【技術分野】
【０００１】
本発明は、軸筒に筆記体ユニットを出没自在に配置した出没式筆記具であって、前記軸筒にクリップを取付けると共に、そのクリップによって前記筆記体ユニットの突出状態を解除し、没入状態へとする解除手段を前記クリップに設けた出没式筆記具に関する。
【背景技術】
【０００２】
軸筒の後端から突出しているノック棒を押してボールペン体のチップを突出させ、再度ノック棒を押すことで前記チップを収納するダブルノック機構を備えると共に、クリップの係合玉と回転子の係合リブとを係合させてチップの突出状態を保持し、前記クリップの係合玉が持ち上げられると収納されるセーフティー機構を有する筆記具が知られている。
クリップがポケットの縁などによって持ち上げられた際、回転子との係合が解除され、チップが収納されるというものである。これによって、チップによるポケットの汚れなどが防止される。
【特許文献１】特開平９−１１８０９５号公報。
【発明の開示】
【発明が解決しようとする課題】
【０００３】
しかし、ポケットの縁が薄かったり、クリップの玉部の係合機構が複雑であったりしていると、クリップがポケットの縁を狭持しないまま、つまり、クリップが持ち上がらないままの状態でポケットに入れてしまうことがあった。そして、その結果、チップの先端がポケットに接触してしまい、ポケットをひどく汚してしまう危険性があった。
【課題を解決するための手段】
【０００４】
本発明は、軸筒に筆記体ユニットを出没自在に配置した出没式筆記具であって、前記軸筒にクリップを取付けると共に、そのクリップによって前記筆記体ユニットの突出状態を解除し、没入状態へとする解除手段を前記クリップに設けた出没式筆記具において、前記クリップの先端近傍に突状の挟持部を設けると共に、その挟持部からクリップ後端部までの範囲に、前記筆記体ユニットの解除手段を配置したことを要旨とする。
【発明の効果】
【０００５】
本発明は、軸筒に筆記体ユニットを出没自在に配置した出没式筆記具であって、前記軸筒にクリップを取付けると共に、そのクリップによって前記筆記体ユニットの突出状態を解除し、没入状態へとする解除手段を前記クリップに設けた出没式筆記具において、前記クリップの先端近傍に突状の挟持部を設けると共に、その挟持部からクリップ後端部までの範囲に、前記筆記体ユニットの解除手段を配置したので、クリップが容易に軸筒から離隔し、これによって確実に筆記体ユニットが軸筒内に没入する。
【発明を実施するための最良の形態】
【０００６】
出没式筆記具の構成要素について説明する。軸筒１からなる筆記具の本体である本体軸２の前方には、前軸３が螺合などの手段によって着脱自在に固定されており、その前軸３の外周には、弾力性を有するゴムグリップ４が嵌入されている。また、本体軸２の後方内側には、回転カム軸５とノック体６が挿入されており、このノック体６は本体軸２の後端部に嵌着された尾栓７によって、本体軸２からの脱落が防止されている。
筆記体ユニット８は、軸筒１の内側に配置されており、その後端が前記回転カム軸５の内壁面部に当接している。また、筆記体ユニット８は、前記前軸３の内側側に内設されたコイルスプリングなどのスプリング９により後方に向けて付勢されており、前記回転カム軸５をも後方に向けて付勢している。
クリップ１０は、前記尾栓７の圧入孔に圧入・固着され連結されているが、本体軸２に固定してもよい。また、クリップ１０の前方部には玉部１１が形成された狭持部１２が設けられており、その玉部１１と本体軸２の間に狭持物１３が挟みこまれることによって、その挟持物１３を挟持するものとなっている。
【０００７】
前記筆記体ユニット８の内部には、油性インキが収納されているが、水性インキなどであっても良い。所謂、ボールペン体である。その筆記体ユニット（ボールペン体）８は、筆記部となるペン先１６と、そのペン先１６の後方に固定され、前記油性インキを収納するパイプ状のリフィールから構成されている。尚、ボールペン体に換え、シャープペンシルユニットを配置しても良い。そのシャープペンシルユニットは、複数の芯を収容する芯タンク、その芯タンクの前方に固定され芯の把持・開放を行うチャック体、並びに、そのチャック体の開閉を行うチャックリングや前記チャック体を後方に向けて付勢するチャックスプリングなどから構成されている。
【０００８】
前記筆記体ユニット８は、前記スプリング９により後方へ付勢され連結されており、また、その筆記体ユニット８の後方に位置している回転カム軸５、並びに、ノック体６をも後方へ付勢している。そのノック体６は、本体軸２並びに、尾栓７の後方から突出している。この突出したノック体６を押圧することで、前記筆記体ユニット８が突出する。その突出維持状態になる過程を説明する。まず、前記本体軸２の直径１７の中心１８を通り、本体軸２の長手方向１９の中心軸線を軸２０と称す。
前記突出したノック体６の外径部２１には、軸２０と水平方向にストレート溝２２が形成されており、前記尾栓７の内面には、前記ストレート溝２２を摺動する軸２０と水平方向にストレート突起２３が形成されている。ストレート溝２２にストレート突起２３を摺動可能に遊嵌するように形成したことで、前記ノック体６は、尾栓７に対して回転方向への移動は固定され、軸２０の水平方向のみに往復運動を自在にした。
前記ノック体６と前記回転カム軸５の伝達部に、ノック体６を押圧することで前記軸２０を中心とした径１７と同一方向に回転力２４が発生するよう三角状カム６ａをノック体６と三角状カム５ａを回転カム軸５に形成している。互いが噛み合おうとする作用を利用し、ノック体６は回転ぜず、回転カム軸５のみが軸２０を中心に回転するように前記三角状カム６ａと前記三角状カム５ａを組合わせている。
前記回転カム軸５が、軸２０を中心に回転しつつ、ノック体６の押圧により軸２０前方へとさらに移動することで、前記回転カム軸５の外周面に形成された凸カム２６も軸２０を中心に回転しつつ移動する。本体軸２の回転カム軸５が摺動部する内接面２７に、凸カム２６の動きを強制するための回転カムガイド溝２８を形成し遊嵌したことで、回転カム軸５は軸２０方向及び軸２０の回転方向の移動を可能としている。これにより、回転カム軸５は、ノック体６の押圧により、軸２０の方向に移動すると同時に軸２０の回転方向に回転力２４を発生する。この回転力２４の発生により、回転カム軸５に形成した凸カム２６が前記回転カムガイド溝２８に沿って移動する。その結果、回転カムガイド溝２８の形状及び位置で回転カム軸５の軸方向及び、軸２０の回転方向位置も追従する。つまり、前記回転カム軸５が前記筆記体ユニット８と係着連動していることから、前記回転カム軸５の位置により突出及び没入状態となる。
【０００９】
次に前記回転カム軸５の位置による筆記体ユニット８の突出状態と没入状態について説明する。最初に、筆記体ユニット８であるペン先１６の没入状態を説明する。前記筆記体ユニット８が前記スプリング９の付勢により後方へと押上げられることで、前記回転カム軸５は、回転カム軸５の凸カム２６が前記回転カムガイド溝２８に沿って後退限界位置２９まで後退した状態を維持している。さらに、ノック体６も回転カム軸５の付勢により本体軸２の後方向３０へ移動する。
【００１０】
筆記体ユニット８が突出状態を維持している場合を説明する。前記の状態から、ノック体６を押圧すると、前記回転カム軸５の凸カム２６が回転方向へ回転力２４を発生した状態のまま前記回転カムガイド溝２８の溝側面３１に沿って移動し、前記溝側面３１から回転カム軸５の凸カム２６が回転カムガイド最前部３２に達すると同時に、前記溝側面３１から外れ、前記スプリング９の付勢力によって回転カム軸５が傾斜面３３に沿って回転し、次いで後退するが、その後退量は、クリップ係合突起３４に凸カム２６の係合受部３６が係合するまで後退する。この係合により、突出した状態が維持される。前記クリップ係合突起３４は、軸２０の垂直方向に出没自在であり、回転カムガイド溝２８の溝中３５に構成されている。
【００１１】
前記筆記体ユニット８の突出にしたまま係合維持している状態から、さらに、ノック体６を押圧することで、ノック体６と連動している回転カム軸５が押圧され凸カム２６が回転方向の回転力２４を維持しながら回転カムガイド溝２８のダブルノック解除前方溝２８ａを通過し、回転方向に移動する。そして、筆記体ユニット８を付勢しているスプリング９により、回転カム軸５が後方向３０へ押し上げられる。したがって、回転カム軸５の凸カム２６が回転カムガイド溝２８の溝側面３１に沿って後方向３０へと移動し、後退限界位置２９まで後退する。これにより、前記回転カム軸５と係着連動している前記筆記体ユニット８が再度没入状態となる。
【００１２】
クリップ１０の狭持部１２が前記本体軸２の軸２０方向に付勢され、クリップ１０の玉部１１と本体軸２の外周面４０が接触し保持されている状態を、クリップ１０が閉じていると称す。クリップ１０の狭持部１２が前記本体軸２の軸２０方向に付勢され、クリップ１０の玉部１１が前記軸方向から離れる方向に離間し本体軸２の外周面４０から離れた状態をクリップ１０が開くと称す。
【００１３】
セーフティー機構について説明する。回転カム軸５の凸カム２６がクリップ係合突起３４に係合することによって、前記筆記体ユニット８の突出状態が維持される。前記クリップ１０が開くことでクリップ係合突起３４は、本体軸２の軸２０方向から軸２０の外径垂直方向へと移動するが、前記クリップ１０の拡開動作と連動して移動する。この時、回転カム軸５の凸カム２６の係合受部３６からクリップ係合突起３４が離間され、係合が解除される。前記の係合解除により筆記体ユニット８は、後方３０へ付勢しているスプリング９によって後退する。さらに、筆記体ユニット８と係着連動している回転カム軸５の凸カム２６が、回転カムガイド溝２８のセーフティー解除溝２８ｃとセーフティー解除傾斜溝２８ｄに沿って後方３０へ押し上げられ、後退限界位置２９に達することにより筆記体ユニット８が没入状態となる。
【００１４】
前記回転カム軸５の凸カム２６の係合受部３６が、クリップ係合突起３４から係合解除される方法について説明する。クリップ係合突起３４は、クリップ係着体３９を介してクリップ１０に取り付けられている。そのクリップ１０は、前記尾栓７の取り付け孔に嵌入固着されている。
【００１５】
前記クリップ１０の構成について説明する。クリップ１０は、前記尾栓７に嵌入固着された連結部３７と弾性力を有する本体軸２前方向へ折り曲げた折り返し部３８と、その折り返し部３８の近傍に嵌着したクリップ係着体３９とそのクリップ係着体３９と連動する前記クリップ係合突起３４とから構成されている。さらに、そのクリップ１０の方向には、前記狭持物１３を狭持するクリップ狭持部１２が形成されており、さらに、クリップ挟持部１２の先端の近傍には、玉部１１が形成されている。
前記クリップ係合突起３４は、前記クリップ１０から前記本体軸２の軸２０方向に伸びた部材であり、回転カム軸５の外周面４０の近傍に突出させた係合カムである。前記玉部１１は、前記狭持物１３との接触する面に円弧部４１と前方傾斜面部４２、並びに、後方傾斜面部４２を有している。これにより、柔軟性を有している狭持物１３であっても、引っ掛かることなくスムーズに狭持できる。
【００１６】
クリップ１０は、前記折り返し部３８及び、クリップの狭持部１２が弾性変形することで、クリップ１０の玉部１１が狭持物１３を弾性力で狭持する。したがって、クリップ１０やクリップ係着体３９、クリップ係合突起３４の材質は、ポリカーボネート、ポリアセタール、ポリエチレンテレフタレート、メタクリル、ポリプロピレン、ポリスチレン、塩化ビニル、ポリアミド、アクリロニトリル・ブタジエン・スチレン、アクリロニトリル・スチレン、ポリエチレン、ポリスチレン等の樹脂材で形成することが好ましい。また、金属としては、ばね鋼鋼材やばね用ステンレス鋼材、炭素工具鋼鋼材、ばね用冷間圧延鋼材等が好ましい。前記樹脂材と前記ばね用鋼材の複合でも良い。
【００１７】
その他の係合解除方法について説明する。クリップ係着体３９は、クリップ１０に係着し前記クリップ係合突起３４を具備している。そのクリップ係着体３９は、クリップ係着体３９の後方４３を軸２０の垂直方向に押圧し、先端狭持部１２を開く際に支点となる突部４４を有しており、その突部４４は、本体軸２の凸部４６に載置された状態となっている。
前記クリップ１０の支点なる突部４４を前記クリップ係合突起３４よりも後方に配置したことで、クリップ係着体３９の後方４３を軸２０方向に押圧することによって、クリップ１０の狭持部１２が開くと共に、クリップ係着体３９と連動した前記クリップ係合突起３４が前記回転カム軸５の凸カム２６の係合受部３６から外れ、クリップ係合突起３４と係合受部３６との係合が解除される。
【００１８】
第２例を説明する。本体軸５１とクリップ５２との連結部５３より後方に解除手段を配置した例である。前記第１例と同様な構成及び、作用、効果については、その説明を省略すると共に、図面においては同一符号で表記する。
前記軸筒５０からなる筆記具の本体である本体軸５１の前方には、前軸３が螺合されており、その前軸３の外周にはゴムグリップ４が嵌入されている。さらに本体軸５１の後方内側には、回転カム軸５とノック体６が挿入されており、このノック体６は本体軸５１の後端部に嵌着された尾栓５７によって、本体軸５１からの脱落が防止されている。
筆記体ユニット８は、軸筒５０の内側に配置されており、その後端が前記回転カム軸５の内壁面部に当接している。また、筆記体ユニット８は、前記前軸３の内側側に内設されたコイルスプリングなどのスプリング９により後方に向けて付勢されており、前記回転カム軸５をも後方に向けて付勢している。
クリップ５２は、前記本体軸５１の後方５４の外周面に蝶着嵌合で連結されている。そのクリップ５２は、玉部５５が形成された狭持部５６が設けられており、その挟持部５６と本体軸５１の間に狭持物１３が挟みこまれることによって、その挟持物１３を狭持するものとなっている。
本例では、クリップ５２の狭持部５６の玉部５５側をクリップ５２の前方と言う。また、前記クリップ５２と前記本体軸５１の連結部５３からの板バネ部５８側を後方と言う。
【００１９】
前記筆記体ユニット８の内部には、油性キンキが収納されているが、水性インキなどであっても良い。所謂、ボールペン体である。その筆記体ユニット（ボールペン体）８は、筆記部となるペン先１６と、そのペン先の後方に固定され、前記油性インキを収納するパイプ状のリフィールから構成されている。尚、ボールペン体に換え、シャープペンシルユニットを配置しても良い。そのシャープペンシルユニットは、複数の芯を収容する芯タンク、その芯タンクの前方に固定され芯の把持・開放を行うチャック体、並びに、そのチャック体の開閉を行うチャックリングや前記チャック体を後方に向けて付勢するチャックスプリングなどから構成されている。
【００２０】
前記筆記体ユニット８は、前記スプリング９により後方へ付勢され連結されており、また、その筆記体ユニット８の後方に位置している回転カム軸５、並びに、ノック体６をも後方へ付勢している。そのノック体６は、本体軸５１並びに、尾栓５７の後方から突出している。この突出したノック体６を押圧することで、前記筆記体ユニット８が突出する。その突出維持状態になる過程を説明する。まず、前記本体軸５１の直径５９の中心６０を通り、本体軸５１の長手方向６１の中心軸線を軸６２と称す。
前記突出したノック体６の外径部２１には、軸６２と水平方向にストレート溝２２が形成されており、前記尾栓７の内面には、前記ストレート溝２２を摺動する軸６２と水平方向にストレート突起２３が形成されている。ストレート溝２２にストレート突起２３を摺動可能に遊嵌するように形成したことで、前記ノック体６は、尾栓５７に対して回転方向への移動は固定され、軸６２の水平方向のみに往復運動を自在にした。
前記ノック体６と前記回転カム軸５の伝達部に、ノック体６を押圧することで前記軸６２を中心とした径５９と同一方向に回転力２４が発生するよう三角状カム６ａをノック体６と三角状カム５ａを回転カム軸５に形成している。互いが噛み合おうとする作用を利用し、ノック体６は回転ぜず、回転カム軸５のみが軸６２を中心に回転するように前記三角状カム６ａと前記三角状カム５ａを組み合わせている。
前記回転カム軸５が、軸６２を中心に回転しつつ、ノック体６の押圧により軸６２前方へとさらに移動することで、前記回転カム軸５の外周面に形成された凸カム２６も軸６２を中心に回転しつつ移動する。本体軸５１の回転カム軸５が摺動部する内接面２７に、凸カム２６の動きを強制するための回転カムガイド溝２８を形成し遊嵌したことで、回転カム軸５は軸６２方向及び軸６２の回転方向の移動を可能としている。これにより、回転カム軸５は、ノック体６の押圧により、軸６２の方向に移動すると同時に軸６２の回転方向に回転力２４を発生する。この回転力２４の発生により、回転カム軸５に形成した凸カム２６が前記回転カムガイド溝２８に沿って移動する。その結果、回転カムガイド溝２８の形状及び位置で回転カム軸５の軸方向及び、軸６２の回転方向位置も追従する。つまり、前記回転カム軸５が前記筆記体ユニット８と係着連動していることから、前記回転カム軸５の位置により突出及び没入状態となる。
【００２１】
次に前記回転カム軸５の位置による筆記体ユニット８の突出状態と没入状態について説明する。最初に、筆記体ユニット８であるペン先１６の没入状態を説明する。前記筆記体ユニット８が前記スプリング９の付勢により後方へと押上げられることで、前記回転カム軸５は、回転カム軸５の凸カム２６が前記回転カムガイド溝２８に沿って後退限界位置２９まで後退した状態を維持している。さらに、ノック体６も回転カム軸５の付勢により本体軸５１の後方向５４へ移動する。
【００２２】
筆記体ユニット８が突出状態を維持している場合を説明する。前記の状態から、ノック体６を押圧すると、前記回転カム軸５の凸カム２６が回転方向へ回転力２４を発生した状態のまま前記回転カムガイド溝２８の溝側面３１に沿って移動し、前記溝側面３１から回転カム軸５の凸カム２６が回転カムガイド最前部３２に達すると同時に、前記溝側面３１から外れ、前記スプリング９の付勢力によって回転カム軸５が傾斜面３３に沿って回転し、次いで後退するが、その後退量は、クリップ係合突起６６に凸カム２６の係合受部３６が係合するまで後退する。この係合により、突出した状態が維持される。前記クリップ係合突起６６は、軸６２の垂直方向に出没自在であり、回転カムガイド溝２８の溝中３５に構成されている。
前記クリップ係合突起６６は、回転カム軸５の凸カム２６の係合受部３６と係合する目的で形成されたものであって、クリップ５２の板バネ部５８に形成されている。
【００２３】
クリップ５２は、クリップ狭持部５６の前方に玉部５５を形成しおり、クリップ５２と本体軸５１との連結部５３の後方には、弾性体からなる板バネ部５８を形成している。前記板バネ部５８は、クリップ５２と第１板状部６７を連結する第１連結部６８と第１板状部６７と、第２板状部６９を連結する第２連結部７０を有している。尚、前記板バネ部５８は単一部材としても良いし、複数の部材から構成しても良い。前記クリップ５２の玉部５５は、狭持物１３が引っ掛かることのない形状としている。具体的に、玉部５５は、前記狭持物１３との接触する面に円弧部７１と前方傾斜面部７２、並びに、後方傾斜面部７２を有しており、前記柔軟な狭持物１３がスムーズに通過できる。
【００２４】
クリップ５２の作用について説明する。前記クリップ５２の後方には、前記板バネ部５８が形成されている。その板バネ部５８は、クリップ５２の後方であって、そのクリップ５２と前記本体軸５１との間に張設されており、クリップ５２の後方部を軸６２とは反対側の方向に付勢している。
前記板バネ部５８には、前記第２板状部６９の側面に凸部７４が形成されており、その凸部７４を支点として第２板状部６９のクリップ係合突起６６の方向が変更される。前記本体軸５１の後方外周面には、前記凸部７５の支点が戴置される凹部７５が形成されている。前記クリップ係合突起６６は、前記凸部７４を支点とし、クリップ係合突起６６の方向を軸６２や、その軸６２から対峙する方向７６へと自在にその方向を替えることができる。
さらに、前記板バネ部５８は、そのクリップ５２と前記本体軸５１の凹部７５との間に張設されており、前記第２板状部６９に形成された凸部７４を戴置する凹部７５の間で、伸縮自在に作用している。
【００２５】
前記筆記体ユニット８の突出にしたまま係合維持している状態から、さらに、ノック体６を押圧することで、ノック体６と連動している回転カム軸５が押圧され凸カム２６が回転方向の回転力２４を維持しながら回転カムガイド溝２８のダブルノック解除前方溝２８ａを通過し、回転方向に移動する。そして、筆記体ユニット８を付勢しているスプリング９により、回転カム軸５が後方向３０へ押し上げられる。したがって、回転カム軸５の凸カム２６が回転カムガイド溝２８の溝側面３１に沿って後方向３０へと移動し、後退限界位置２９まで後退する。これにより、前記回転カム軸５と連動している前記筆記体ユニット８が再度没入状態となる。
【００２６】
クリップ５２の狭持部５６が前記本体軸５１の軸６２方向に付勢されたクリップ５２の玉部５５と本体軸５１の外周面７７が接触し保持されている状態を、クリップ５２が閉じていると称す。クリップ１０の狭持部５６が前記本体軸５１の軸６２方向に付勢されクリップ５２の玉部５５が前記軸方向から離れる方向に離間し本体軸５１の外周面７７から離れた状態をクリップ５２が開くと称す。
【００２７】
前記クリップ５２は、本体軸５１の後方にクリップ５２と蝶着嵌合している連結部５３と挟持部５６と後方に設けられた板バネ５８とから構成されている。前記板バネ部５８の付勢力は、連結部４３を支点とし、前記クリップ５２の前方狭持部５６の狭持力となる。本例では、前記板バネ部５８を板状物としているが、楕円状であっても良く三角形状などであっても良い。前記構成により、クリップ５２の後方に設けられた板バネ部５８が伸張した場合には、クリップ５２の前方が前記蝶着嵌合している連結部５３を支点にして軸６２の方向に作用し、これ作用によってクリップ５２が閉じた状態となる。
尚、クリップ５２の後方に設けられた板バネ部５８を収縮させた場合には、クリップ５２の前方は、前記蝶着嵌合している連結部５３を支点にして軸６２とは反対側の方向に作用し、クリップ５２が開いた状態となる。そのクリップ５２は、狭持部５６と前記板バネ部５８が弾性変形するため、その弾性変形に富んだ材質を選択することが好ましい。例えば、クリップ５２の材質を、ポリカーボネート、ポリアセタール、ポリエチレンテレフタレート、メタクリル、ポリプロピレン、ポリスチレン、塩化ビニル、ポリアミド、アクリロニトリル・ブタジエン・スチレン、アクリロニトリル・スチレン、ポリエチレン、ポリスチレン等の樹脂材で形成することが好ましい。また、ばね鋼鋼材、ばね用ステンレス鋼材、炭素工具鋼鋼材、ばね用冷間圧延鋼材等が好ましい。前記樹脂材と前記ばね用鋼材の複合でも良い。
【００２８】
クリップ５２の係合作用について説明する。前記クリップ５２は、前記クリップ５２が閉じている場合、前記板バネ部５８は伸張した状態になっている。前記第２板状部６９のクリップ係合突起６６は、前記板バネ部５８が伸張することにより前記凸部７４を支点として本体軸５１の軸６２の方向へと向きを替えることで、前記回転カム軸５の外周面７８の近傍に突出する。このクリップ係合突起６６の突出により前記回転カム軸５の凸カム２６の係合突起３６が係合する。その結果、回転カム軸５と係着している前記筆記体ユニット８も突出状態を維持することになる。
【００２９】
セーフティー機構についてつて説明する。前述の通り、回転カム軸５の凸カム２６の係合受体３６が前記板バネ部５８のクリップ係合突起６６が係合することで、前記筆記体ユニット８が突出状態になっている。
ここで、前記クリップ５２を開かせると、前記板バネ部５８が収縮する。この収縮動作によって、前記第２板状部６９は凸部７５を支点として回転する。即ち、第２板状部６９の後方部が軸６２の方向に移動する一方、前方部が軸６２とは反対側の方向７６に移動する。これによって、クリップ係合突起６６の方向が替えられ、前記回転カム軸５の凸カム２６の係合受体３６からクリップ係合突起６６の係合が外れる。その係合解除された時点で前記筆記体ユニット８は後方へ付勢しているスプリング９の付勢力によって後退する。さらに、筆記体ユニット８と係着連動している回転カム軸５の凸カム２６が、回転カムガイド溝２８のセーフティー解除溝２８ｃとセーフティー解除傾斜溝２８ｄに沿って後方３０へ押し上げられ、後退限界位置２９に達することにより筆記体ユニット８が没入状態となる。
【００３０】
第３例を説明する。本例は、前記第１例において、回転カム軸８０の凸部８１に形成した係合突起８２をクリップ８３の玉部８４の近傍に構成すると共に、クリップ８３の係合受部８５もクリップ８３の玉部８４の近傍に構成した例である。
【００３１】
尚、前記回転カム軸の凸部の係合受体をガイドする回転カムガイド溝をハートカムやデビットカムで構成しても良い。また、前記回転カム軸を押圧するノック体を、筆記具の前方側面に配置した、所謂、サイドスライド式としても良く、或いは、サイドノック式としても良い。前例と同様な効果が得られると共に、筆記具を把持した状態でノック操作を行うことができる。
【図面の簡単な説明】
【００３２】
【図１】出没式筆記具の構成概略図（第１例）
【図２】図１のＡ−Ａ断面図
【図３】回転カムとノック体の模式図
【図４】回転カムガイド溝とクリップの概略関連図
【図５】クリップ概略関連図
【図６】回転カムと回転カムガイド溝の動作展開図（筆記体ユニットが没入時の例）
【図７】回転カムと回転カムガイド溝の動作展開図（筆記体ユニットがノック体の押圧で突出となる例）
【図８】本体軸にプリップ係合突起を配置概略図
【図９】図８のＢ−Ｂ断面図
【図１０】回転カムと回転カムガイド溝の動作展開図（筆記体ユニットがノック体の押圧で没入となる例）
【図１１】クリップ係合突起と回転カムの係合受体が解除された場合の回転カムと回転カムガイドの動作展開図
【図１２】クリップ後端部を押圧した場合のクリップ解除機構概略図
【図１３】出没式筆記具の構成概略図（第２例）
【図１４】図１３のＣ−Ｃ断面図
【図１５】回転カムとノック体の模式図
【図１６】回転カムガイド溝とクリップの概略関連図
【図１７】回転カムと回転カムガイド溝の動作展開図（筆記体ユニットが没入時の例）
【図１８】回転カムと回転カムガイド溝の動作展開図（筆記体ユニットがノック体の押圧で突出となる例）
【図１９】係合突起を本体軸に配置した概略図
【図２０】図１９のＤ−Ｄ断面図
【図２１】クリップ模式図
【図２２】クリップの動作概略関連図
【図２３】回転カムと回転カムガイド溝の動作展開図（筆記体ユニットがノック体の押圧で没入となる例）
【図２４】クリップ係合突起と回転カムの係合受体が解除された場合の回転カムと回転カムガイドの動作展開図
【図２５】出没式筆記具の概略図（第３例：係合突起と係合受体をクリップの玉部近傍に配置した例）
【符号の説明】
【００３３】
１      軸筒
２      本体軸
３      前軸
４      ゴムグリップ
５      回転カム軸
５ａ      三角状カム
６      ノック体
６ａ      三角状カム
７      尾栓
８      筆記体ユニット
９      スプリング
１０    クリップ
１１    玉部
１２    狭持部
１３    狭持物
１５    筆記本ユニット前方
１６    ペン先
１７    径
１８    中心
１９    長手方向
２０    軸
２１    外径部
２２    ストレート溝
２３    ストレート突起
２４    回転力
２６    凸カム
２７    内接面
２８    回転カムガイド溝
２８ａ    ダブルノック解除前方溝
２８ｂ    ダブルノック解除前方溝
２８ｃ    セーフティー解除溝
２８ｄ    セーフティー解除傾斜溝
２９    後退限界位置
３０    後方
３１    溝側面
３２    回転カムガイド最前部
３３    傾斜面
３４    クリップ係合突起
３５    溝中
３６    係合受部
３７    連結部
３８    折り返し部
３９    クリップ係着体
４０    外周面
４１    円弧部
４２    傾斜面部
４３    後方
４４    突部
４５    外周面
４６    凸部
５０    軸筒
５１    本体軸
５２    クリップ
５３    連結部
５４    後方
５５    玉部
５６    狭持部
５７    尾栓
５８    板バネ部
５９    径
６０    中心
６１    長手方向
６２    線状を軸
６３    ストレート突起
６４    摺動部
６５    内接面
６６    クリップ係合突起
６７    第１板状部
６８    第１連結部
６９    第２板状部
７０    第２連結部
７１    円弧部
７２    傾斜面部
７３    側面
７４    凸部
７５    凹部
７６    対峙する方向
７７    外周面
７８    外周面
８０    回転カム軸
８１    凸部
８２    係合突起
８３    クリップ
８４    玉部
８５    係合受部
【図１】
2008006790.tif 000003
【図２】
2008006790.tif 000004
【図３】
2008006790.tif 000005
【図４】
2008006790.tif 000006
【図５】
2008006790.tif 000007
【図６】
2008006790.tif 000008
【図７】
2008006790.tif 000009
【図８】
2008006790.tif 000010
【図９】
2008006790.tif 000011
【図１０】
2008006790.tif 000012
【図１１】
2008006790.tif 000013
【図１２】
2008006790.tif 000014
【図１３】
2008006790.tif 000015
【図１４】
2008006790.tif 000016
【図１５】
2008006790.tif 000017
【図１６】
2008006790.tif 000018
【図１７】
2008006790.tif 000019
【図１８】
2008006790.tif 000020
【図１９】
2008006790.tif 000021
【図２０】
2008006790.tif 000022
【図２１】
2008006790.tif 000023
【図２２】
2008006790.tif 000024
【図２３】
2008006790.tif 000025
【図２４】
2008006790.tif 000026
【図２５】
2008006790.tif 000027